(57)【要約】【課題】仕切板を取り外すことなく吸気ダクト内の異物を容易に排出できる冷蔵オープンショーケースを提供すること。【解決手段】ケース本体上部から吹き出された２層の冷気が、ケース本体下部前端部の吸込口１４、１５より、底板２３から吸込口１４、１５に延びる左右方向を向く仕切板２４、２５により２経路に分離され、一方経路は吸込口１５から仕切板２５前方を通ってこの仕切板２４に接続されケース本体の底面パネル２４に形成された排水溝３０ａ、３０ｂと部分的に連通した吸気ダクト２６内を通り、他方経路は吸込口１４から仕切板２５後方を経て吸気ダクト２６外方を通ってそれぞれケース本体背面に至るように構成され、仕切板２５は左右から吸気ダクト２６に向って先細に傾斜している。【選択図】  図２
2004190919.tif 000002
【特許請求の範囲】
【請求項１】
前面が開口された外ケースと内ケースとの間に、内部に冷却器と送風機とを収容した２つの冷気循環経路を形成した冷蔵オープンショーケースにおいて、ケース本体上部から吹き出される２層の冷気は前記前面開口を通り、ケース本体下部前端部に設けた吸込口より、前記ケース本体の底面パネルから該吸込口に延びる左右方向を向く仕切板により２経路に分離され、一方経路は前記仕切板前方より、該仕切板に接続されケース本体の底面パネルに形成されている排水溝と部分的に連通した吸気ダクト内を通り、他方経路は仕切板後方より該吸気ダクト外を通ってそれぞれケース本体背面に至るように構成され、前記仕切板は左右から吸気ダクトに向けて先細に傾斜していることを特徴とする冷蔵オープンショーケース。
【請求項２】
前記吸気ダクトは前記ケース本体の底面パネル上を冷気が流れるようにして前後方向に向いて形成され、前記排水溝はケース本体の左右方向に向いて形成され、前記吸気ダクトの排水溝と交叉する部分には部分的に開口が形成されている請求項１に記載の冷蔵オープンショーケース。
【請求項３】
前記排水溝には排水をケース本体外に導出する排水口が前記吸気ダクト外に設けられている請求項１または２に記載の冷蔵オープンショーケース。
【請求項４】
前記排水口の直上近傍に開閉扉を有するベース棚板が設けられている請求項３に記載の冷蔵オープンショーケース。
【請求項５】
前記吸込口には脱着式保護カバーが設けられている請求項１ないし４の何れかに記載の冷蔵オープンショーケース。
【発明の詳細な説明】
【０００１】
【発明の属する技術分野】
本発明は、前面が開口された外ケースと内ケースとの間に、内部に冷却器と送風機とを収容した２つの冷気循環経路を形成した冷蔵オープンショーケースに関する。
【０００２】
【従来の技術】
従来、２つの冷気循環経路を形成した冷蔵オープンショーケースは、吸入口において２つの冷気経路を形成するために、ケース本体の底面パネルからこの吸込口に延びる左右方向を向く仕切板により２経路に分離するようにしたものが知られている。そして２経路に分離されたうち、一方経路は仕切板前方より、この仕切板に接続された吸気ダクト内を通りケース本体背面に至るものであり、他方の経路は仕切板後方よりこの吸気ダクト外を通ってケース本体背面に至るように構成されされていた。しかしながら、吸入口より吸い込まれたゴミ等の異物は吸気ダクト内に溜まると異臭が発生して不快な気分にさせたり、あるいは異物が送風機まで運ばれてファンに損傷を与える恐れもあったので、吸気ダクト内を清掃し易いように仕切板を分割構造にしたものも開発されている（特許文献１参照）。
【０００３】
【特許文献１】
特開２００１−２２１５６１公報（段落００２３―００２７，００４５、図２）
【０００４】
【発明が解決しようとする課題】
この特許文献１に記載のものは、吸気ダクト内を清掃することは可能となったが、清掃の度に仕切板を分解して取り外さなければならず、清掃後は再び仕切板を組み付けるという繁雑な作業を強いられていた。
【０００５】
本発明は、このような状況に鑑みてなされたものであり、仕切板を取り外すことなく吸気ダクト内の異物を容易に排出できる冷蔵オープンショーケースを提供することを目的とするものである。
【０００６】
【課題を解決するための手段】
上記課題を解決するために、本発明の冷蔵オープンショーケースは、前面が開口された外ケースと内ケースとの間に、内部に冷却器と送風機とを収容した２つの冷気循環経路を形成した冷蔵オープンショーケースにおいて、ケース本体上部から吹き出される２層の冷気は前記前面開口を通り、ケース本体下部前端部に設けた吸込口より、前記ケース本体の底面パネルから該吸込口に延びる左右方向を向く仕切板により２経路に分離され、一方経路は前記仕切板前方より、該仕切板に接続されケース本体の底面パネルに形成されている排水溝と部分的に連通した吸気ダクト内を通り、他方経路は仕切板後方より該吸気ダクト外を通ってそれぞれケース本体背面に至るように構成され、前記仕切板は左右から吸気ダクトに向けて先細に傾斜していることを特徴としている。
この特徴によれば、一方経路内に吸い込まれた異物は仕切板の傾斜に沿って容易に吸入ダクト側に流れ込むことができるので、仕切板を取り外すことなく、吸入口側から水を注ぐだけで排水溝の方に異物を移動させることができる。
【０００７】
本発明の冷蔵オープンショーケースにおいて、前記吸気ダクトは前記ケース本体の底面パネル上を冷気が流れるようにして前後方向に向いて形成され、前記排水溝はケース本体の左右方向に向いて形成され、前記吸気ダクトの排水溝と交叉する部分には部分的に開口が形成されていることが好ましい。
これによれば、吸入ダクト内を流れてきた異物はこのダクトに形成した開口を通して排水溝側へ容易に流れることができる。
【０００８】
本発明の冷蔵オープンショーケースにおいて、前記排水溝には排水をケース本体外に導出する排水口が前記吸気ダクト外に設けられていることが好ましい。
これによれば、吸入口内外を通ってきた異物は全て排水口に集めることができる。
【０００９】
本発明の冷蔵オープンショーケースにおいて、前記排水口の直上近傍に開閉扉を有するベース棚板が設けられていることが好ましい。
これによれば、開閉扉より排水口を点検したり、この排水口にある排水フィルターを取り上げて掃除することができる。
【００１０】
本発明の冷蔵オープンショーケースにおいて、前記吸込口には脱着式保護カバーが設けられていることが好ましい。
これによれば、保護カバーが簡単に取り外せるから、吸入口より水を放水して異物を洗い流すことが容易に行える。
【００１１】
【発明の実施の形態】
図１は本発明の一実施形態に係る冷蔵オープンショーケースの側面断面図、図２はベース棚板を取外した状態であって、仕切板により２つの冷気循環経路を形成したショーケースの底パネルの前方を視た内部斜視図、図３は仕切板により２つの冷気循環経路を形成したショーケースの底パネル後方を視た内部斜視図であり、図４はベース棚板の部分斜視図であって（ａ）はスライド扉が閉鎖されている状態を示し（ｂ）は清掃のためにスライド扉を開放してゴミ受け皿を取出す状態を示している。
【００１２】
先ず図１には、発明の適用された冷蔵オープンショーケースを構成するケース本体１が示されており、ケース本体１の前方に開放した内部には保冷庫としての商品陳列用空間部６が設けられており、この商品陳列用空間部６は、内ケース３と、外ケース８により構成されており、内ケース３の前面に固着された図示しない複数の陳列棚により商品を多段に陳列できるようになっている。
【００１３】
内ケース３と外ケース８との間に形成される空間は、仕切背板２により前面側と背面側に区画されて、２つの冷気循環経路としての温度差を有する２層の冷気を挿通するための挿通路４、５が形成されている。
【００１４】
背面側の捜通路５内下方には、図３に示すように、専用のファン２０が収容されており、前面側の挿通路４内下方には、挿通路５により送風される冷気より低温の冷気を送風する専用のファン１９，２１が収容されている。
【００１５】
また、商品陳列用空間部６を構成するケース本体１の上部前方には、各挿通路４、５に連通する吐出口９、１０が設けられると共に、これら上方の吐出口９、１０から排出される冷気を取り込むための吸込口１４、１５がケース本体１の下部前端部に設けられている。
【００１６】
そこで、各ファン１９、２０、２１をそれぞれ駆動させることにより、吹出口である吐出口９、１０から冷却器Ｒにより冷却された温度差を有する冷気がそれぞれ排出され、これらの冷気を吸込口１４、１５から取り込むことにより、商品陳列用空間部６の前面にエアーカーテンが作り出されるため、商品陳列用空間部６内の冷気の拡散や外部からの熱進入が防止され、商品陳列用空間部６内の温度が一定に保持されるようになっている。
【００１７】
図１、図２に示すように、ケース本体１の下部前端部には、ケース本体１の上部前方の吐出口９、１０から排出された２層の冷気が２つの吸込口１４、１５により取り込まれるように構成されており、吸込口１４、１５から取り込まれた２層の冷気は２経路に分離されてケース本体１背面の各挿通路４、５に個別に連通されている。
【００１８】
２つの経路はケ−ス本体１の底部２３を構成する底面パネル２４の傾斜部２４ａより吸い込み側に延びる左右方向を向く仕切板２５と、この仕切板２５に接続した吸気ダクト２６とにより分離され、一方の経路は仕切板２５の前方より吸気ダクト２６の内部を通り、図３で示した中央のファン２０を経て挿通路５に導かれ、他方の経路は仕切板２５の後方より吸気ダクト２６の外側を通りファン１９，２１を経て挿通路４に導かれている。
【００１９】
この仕切板２５は、吸気口１４，１５の中間部と底面パネル傾斜部２４ａ間に延びる垂直部２５ａと、左右から吸気ダクト２６に向けて後方に向かって先細に傾斜した隔壁部２５ｂとで構成されている。
【００２０】
このように構成された吸込口１４、１５の上端面には、複数のスリット３１を連接した保護カバー３２が着脱自在に支持されており、この保護カバー３２の前方は前壁２２の上端に支持されると共に後方下端垂直部３２ａは仕切板２５の垂直部２５ａに取り付けた間隔片１６に支持されている。
【００２１】
このようにして、保護カバー３２が吸込口に装着されると、保護カバー３２の後端部は間隔片１６により仕切板２５の垂直部２５ａと所定間隔が形成され、他方経路を構成するる吸い込み通路が形成される。
【００２２】
そして、ケース本体１の底面パネル２４には、後述する排水フィルターとしてのゴミ受皿１７を収容した排水口１１が吸気ダクト２６外に設けられており、この排水口１１に排水を導くために若干傾斜した排水溝３０ａ、３０ｂがケース本体１の左右方向に向いて形成されている。
【００２３】
一方の排水溝３０ｂの上面には前後に向く上方が閉じた断面コ字状の吸気ダクト２６が直交するように配置されており、排水溝３０ｂが通過する吸気ダクト２６の該排水溝３０ｂと交叉する左右の下端縁には、部分的に切り欠かれた一対の開口３７が形成されている。
【００２４】
次に、吸気ダクト２６の後方には、図３に示すように挿通路５の下端に開口する連通口３６が形成され、連通口３６の前方を斜めに仕切る隔壁３４ｃにファン２０が設けられており、挿通路４の下端に開口する連通口３５ａ、３５ｂの前面を仕切る斜めの隔壁３４ａ、３４ｂにもファン１９、２１が離間して配設されている。
【００２５】
これにより、吸込口１５から取り込まれて吸気ダクト２６内を介して中間に配設されたファン２０により圧送される冷気は挿通路５に導入され、吸込口１４から取り込まれて吸気ダクト２６両外側のケース本体１の底面パネル２４からファン１９、２１により圧送される冷気は挿通路４に導入され、挿通路４、５の内部に配置された容量の異なる冷却器Ｒ（一方の冷却器のみ図示）によって温度差を有する冷気が得られるようになっている。
【００２６】
次に、ケース本体１内箱の底面を構成するベース棚板に付き、図２及び図４を参照して説明する。
【００２７】
符号３８で示されるベース棚板は、矩形状に形成されてその前後端面にはそれぞれ一対の支持軸３８ａ（一方のみ図示）が突設しており、保護カバー３２の後方下端垂直部３２ａに形成される係止孔Ｈに支持軸３８ａを係止することで、複数のベース棚板が連設接合されて図４の（ａ）、（ｂ）に示すように、食品類Ａを載置できるようになっている。
【００２８】
ベース棚板３８には、排水口１１直上に対応する位置に形成された開口部４０に開閉可能なスライド扉４２が設けられている。このスライド扉４２は、図４の（ａ）に示すように通常は閉鎖されておりその上部にも食品類Ａが載置されている。
【００２９】
排水口１１を点検する際は、スライド扉４２の上に載っている食品類を排除し、スライド扉４２の指孔４２ａに指を挿入してＸ方向にスライドさせて開口部４０を開放することで点検できる。
【００３０】
一方、点検の結果、排水口１１の清掃が必要となる場合には、開口部４０を全開させることで、図４の（ｂ）に示すように、ゴミ受皿１７を外部に取出して掃除をしたり、ホースで水洗いをすることができる。
【００３１】
また、一方経路としての吸込口１５内に吸い込まれた異物は、前壁２２と仕切板２５の間を通り、底面パネル２４の傾斜部２４ａと隔壁部２５ａで形成される部屋に到達するが、隔壁部２５ａが左右方向から吸気ダクト２６向かって先細に傾斜しているので、異物は容易に吸気ダクト２６側に流れ込むことができる。したがって、仕切板２５を取り外すことなく、吸込口１５から水を注ぐだけで異物を吸気ダクト２６を介して排水溝３０ａ、３０ｂから排水口１１に移動させることができる。
【００３２】
また、吸気ダクト２６は、ケース本体１の底面パネル２３上を冷気が流れるようにして前後方向に向いて形成され、排水溝３０ａ、３０ｂはケース本体１の左右方向の向きに形成され、吸気ダクト２６の排水溝３０ｂと交叉する部分は、この排水溝３０ｂに向けて部分的に切欠いた開口３７が形成されているので、吸気ダクト２６内を流れてきた比較的大きな異物は、このダクト２６に形成された開口３７を通して排水溝側へ容易に流すことができる。
【００３３】
更に、排水溝３０ａ、３０ｂには排水をケース本体１の外部に導出する排水口１１が吸気ダクト２６外に設けられているので、この吸気ダクト２６の内外を通ってきた異物は全て排水口１１に集めることができる。
【００３４】
そして、排水口１１の直上近傍には、開閉可能なスライド扉４２を有するベース棚板３８が設けられているので、スライド扉４２より排水口１１を点検したり、排水口１１にあるゴミ受皿１７を取り外して掃除することができる。
【００３５】
そしてまた、吸込口１４、１５の上部には保護カバー３２が着脱自在に設けられているので、定期的に保護カバー３２を外してこれら吸込口１４、１５より水を放水して異物を洗い流すことができる。
【００３６】
【発明の効果】
本発明は以下の効果を奏する。
【００３７】
（ａ）請求項１項の発明によれば、一方経路内に吸い込まれた異物は仕切板の傾斜に沿って容易に吸入ダクト側に流れ込むことができるので、仕切板を取り外すことなく、吸入口側から水を注ぐだけで排水溝の方に異物を移動させることができる。
【００３８】
（ｂ）請求項２項の発明によれば、吸入ダクト内を流れてきた異物はこのダクトに形成した開口を通して排水溝側へ容易に流れることができる。
【００３９】
（ｃ）請求項３項の発明によれば、吸入口内外を通ってきた異物は全て排水口に集めることができる。
【００４０】
（ｄ）請求項４項の発明によれば、開閉扉より排水口を点検したり、この排水口にある排水フィルターを取り上げて掃除することができる。
【００４１】
（ｅ）請求項５項の発明によれば、保護カバーが簡単に取り外せるから、吸入口より水を放水して異物を洗い流すことが容易に行える。
【図面の簡単な説明】
【図１】本発明の一実施形態に係る冷蔵オープンショーケースの側面断面図である。
【図２】ベース棚板を取外した状態であって、仕切板により２つの冷気循環経路を形成したショーケースの底パネルの前方を視た内部斜視図である。
【図３】仕切板により２つの冷気循環経路を形成したショーケースの底パネル後方を視た内部斜視図である。
【図４】ベース棚板の部分斜視図であって（ａ）はスライド扉が閉鎖されている状態を示し（ｂ）は清掃のためにスライド扉を開放してゴミ受け皿を取出す状態を示している。
【符号の説明】
１                        ケース本体
２                        仕切背板
３                        内ケース
４、５                    挿通路
６                        商品陳列用空間部
８                        外ケース
９、１０                  吐出口
１１                      排水口
１４、１５                吸込口
１６                      間隔片
１７                      ゴミ受皿
１９、２０、２１          ファン
２２                      前壁
２３                      ケース本体底部
２４                      底面パネル
２４ａ                  傾斜部
２５                      仕切板
２５ａ                  垂直部
２５ｂ                  隔壁部
２６                      吸気ダクト
３０ａ、３０ｂ            排水溝
３１                      スリット
３２                      保護カバー
３２ａ                  後方下端垂直部
３４ａ、３４ｂ、３４ｃ    隔壁
３５ａ、３５ｂ、３６      連通口
３７                      開口
３８                      ベース棚板
３８ａ                  支持軸
４０                      開口部
４２                      スライド扉
４２ａ                  指孔
Ａ                        食品類
Ｈ                        係止孔
Ｒ                        冷却器
【図１】
2004190919.tif 000003
【図２】
2004190919.tif 000004
【図３】
2004190919.tif 000005
【図４】
2004190919.tif 000006